(57)【要約】【課題】販促品提供者の要望にマッチする配布対象者に対して広く販促品を配布する。【解決手段】本発明にかかる販促システムは、店舗のユーザ会員情報を記憶した第１記憶手段と、販促情報と、配布対象者条件とを対応付けて記憶した第２記憶手段と、第１ユーザのユーザ会員情報が配布対象者条件にマッチする販促情報を検索する検索手段と、第１ユーザの第１ユーザ端末に対し、検索された販促情報を配布する第１配布手段と、指定された第２ユーザの第２ユーザ端末に対し無効化した前記販促情報を配布する第２配布手段と、第２ユーザの来店行動に基づいて該第２ユーザのユーザ会員情報が更新された場合、該第２ユーザのユーザ会員情報が配布対象者条件にマッチした前記第１ユーザのユーザ会員情報と同一又は類似するか否かを判定する判定手段と、同一又は類似すると判定された場合、第２ユーザ端末に対し販促情報の有効化命令を送信する有効化手段とを有する。【選択図】図１
2014186539.tif 000002
【特許請求の範囲】
【請求項１】
店舗のユーザ会員情報を記憶した第１記憶手段と、
販促情報と、販促情報の配布対象者条件とを対応付けて記憶した第２記憶手段と、
第１ユーザのユーザ会員情報が、前記配布対象者条件にマッチする販促情報を検索する検索手段と、
前記第１ユーザの第１ユーザ端末に対し、前記検索手段により検索された販促情報を配布する第１配布手段と、
再配布先として指定された第２ユーザの第２ユーザ端末に対し、無効化した前記販促情報を配布する第２配布手段と、
前記第２ユーザの来店行動に基づいて該第２ユーザのユーザ会員情報が更新された場合、該第２ユーザのユーザ会員情報が、前記配布対象者条件にマッチした前記第１ユーザのユーザ会員情報と同一又は類似するか否かを判定する判定手段と、
前記判定手段により、前記同一又は類似すると判定された場合、前記第２ユーザ端末に対し、前記販促情報の有効化命令を送信する有効化手段と、
を有することを特徴とする販促システム。
【請求項２】
前記ユーザ会員情報は、前記店舗のユーザ購買履歴情報に基づくユーザ行動履歴情報を含むことを特徴とする請求項１記載の販促システム。
【請求項３】
前記ユーザ会員情報は、少なくとも、ユーザ属性情報、位置情報、新密度の何れかを含むことを特徴とする請求項１又は２記載の販促システム。
【請求項４】
前記販促情報は、販促品の販促品情報を含むことを特徴とする請求項１ないし３何れか一項記載の販促システム。
【請求項５】
販促システムが、
ユーザ毎に、店舗のユーザ会員情報を記憶する手順と、
販促情報と、販促情報の配布対象者条件とを対応付けて記憶する手順と、
第１ユーザのユーザ会員情報が、前記配布対象者条件にマッチする販促情報を検索する手順と、
前記第１ユーザの第１ユーザ端末に対し、前記検索する手順により検索された販促情報を配布する手順と、
再配布先として指定された第２ユーザの第２ユーザ端末に対し、無効化した前記販促情報を配布する手順と、
前記第２ユーザの来店行動に基づいて該第２ユーザのユーザ会員情報が更新された場合、該第２ユーザのユーザ会員情報が、前記配布対象者条件にマッチした前記第１ユーザのユーザ会員情報と同一又は類似するか否かを判定する手順と、
前記判定する手順により、前記同一又は類似すると判定された場合、前記第２ユーザ端末に対し、前記販促情報の有効化命令を送信する手順と、
を実行することを特徴とする販促品配布方法。
【請求項６】
コンピュータに、
店舗のユーザ会員情報を記憶した第１記憶手段と、
販促情報と、販促情報の配布対象者条件とを対応付けて記憶した第２記憶手段と、
第１ユーザのユーザ会員情報が、前記配布対象者条件にマッチする販促情報を検索する検索手段と、
前記第１ユーザの第１ユーザ端末に対し、前記検索手段により検索された販促情報を配布する第１配布手段と、
再配布先として指定された第２ユーザの第２ユーザ端末に対し、無効化した前記販促情報を配布する第２配布手段と、
前記第２ユーザの来店行動に基づいて該第２ユーザのユーザ会員情報が更新された場合、該第２ユーザのユーザ会員情報が、前記配布対象者条件にマッチした前記第１ユーザのユーザ会員情報と同一又は類似するか否かを判定する判定手段と、
前記判定手段により、前記同一又は類似すると判定された場合、前記第２ユーザ端末に対し、前記販促情報の有効化命令を送信する有効化手段として機能させるプログラム。
【発明の詳細な説明】
【技術分野】
【０００１】
本発明は、販促システム、販促品配布方法及びプログラムの技術に関する。
【背景技術】
【０００２】
従来より、企業の販売促進の一環として、新商品などの販促品（試供品）を配布する活動がある。近年、インターネット上の販促分野においても、ユーザの携帯端末等に対し、電子クーポンを配布する技術が知られている。
【０００３】
これに関する技術として、例えば、特許文献１には、携帯端末専用アプリを使用するスマホユーザに対し、ネット事業者から本来の携帯端末専用のウェブコンテンツに加え、景品（おまけ）として商品や試供品など所定の対象と交換できる電子クーポンを広告に代えて提供する情報配信装置が記載されている。また、ユーザの趣味嗜好などの属性に合わせて、個々のユーザにより適合した電子クーポンが提供することが記載されている。
【先行技術文献】
【特許文献】
【０００４】
【特許文献１】特開２０１２−２４８０７３号公報
【発明の概要】
【発明が解決しようとする課題】
【０００５】
ここで、販促品提供者は、広く販促品を配布したいという要望がある。一方、単に、誰にでも販促品を配布できればよい訳ではなく、販促効果の観点から、各々のユーザに対し、よりマッチ（適合）した販促品を配布する必要がある。
【０００６】
また、販促品提供者（又はクーポンの配布の仕組みを運営する運営者）は、広く販促品を配布するには、ユーザ側から見ても、楽しみながら自分にマッチしたクーポンが手に入ったりするなど、メリットのある配布の仕組みを提供することが望ましい。
【０００７】
本発明は上記の点に鑑み提案されたものであり、その目的とするところは、販促品提供者の要望にマッチする配布対象者に対して広く販促品を配布することにある。
【課題を解決するための手段】
【０００８】
上記の課題を解決するため、本発明にかかる販促システムにあっては、店舗のユーザ会員情報を記憶した第１記憶手段と、販促情報と、販促情報の配布対象者条件とを対応付けて記憶した第２記憶手段と、第１ユーザのユーザ会員情報が、前記配布対象者条件にマッチする販促情報を検索する検索手段と、前記第１ユーザの第１ユーザ端末に対し、前記検索手段により検索された販促情報を配布する第１配布手段と、再配布先として指定された第２ユーザの第２ユーザ端末に対し、無効化した前記販促情報を配布する第２配布手段と、前記第２ユーザの来店行動に基づいて該第２ユーザのユーザ会員情報が更新された場合、該第２ユーザのユーザ会員情報が、前記配布対象者条件にマッチした前記第１ユーザのユーザ会員情報と同一又は類似するか否かを判定する判定手段と、前記判定手段により、前記同一又は類似すると判定された場合、前記第２ユーザ端末に対し、前記販促情報の有効化命令を送信する有効化手段とを有する。
【発明の効果】
【０００９】
本発明の実施の形態によれば、販促品提供者の要望にマッチする配布対象者に対して広く販促品を配布することができる。
【図面の簡単な説明】
【００１０】
【図１】販促システムのネットワーク構成図である。
【図２】会員管理アプリ画面の一例である。
【図３】販促サーバ３及び会員情報管理サーバ４のハードウェア構成例を示す図である。
【図４】販促サーバ３及び会員情報管理サーバ４のソフトウェア構成例を示す図である。
【図５】会員情報ＤＢ４０３ａのデータ構造の一例である。
【図６】販促品ＤＢ３０３ａのデータ構造の一例である。
【図７】販促システムの販促品配布処理例を示すシーケンス図である。
【図８】会員管理アプリ画面の一例である。
【図９】会員管理アプリ画面の一例である。
【図１０】会員管理アプリ画面の一例である。
【図１１】会員管理アプリ画面の一例である。
【図１２】販促サーバ３の検索例を示すフローチャートである。
【図１３】販促サーバ３の有効化判定例を示すフローチャートである。
【発明を実施するための形態】
【００１１】
以下、本発明の好適な実施形態につき説明する。なお、以下、販売促進、販売促進品を、単に販促、販促品という場合がある。また、販促品は、試供品、サンプル品なども含むものとする。
【００１２】
＜構成＞
（ネットワーク構成）
図１は、本発明の一実施形態にかかる販促システムのネットワーク構成図である。販促システムは、ユーザＡ端末１、ユーザＢ端末２、販促サーバ３、会員情報管理サーバ４が、ネットワークを介して通信可能に接続される。
【００１３】
ユーザＡ端末１は、販促品（販促品のクーポン）の一次配布対象となるユーザＡの端末である。ユーザＡ端末１は、ネットワーク（例えば、３Ｇ、４Ｇ、ＷｉＦｉ（登録商標）等）を介し、販促サーバ３、会員情報管理サーバ４と通信可能な端末である。ユーザＡ端末１は、ＰＣ（Personal Computer）、スマートフォン、携帯電話等の情報処理機器から構成される。また、ユーザＡ端末１は、予め、会員情報管理アプリケーション（以下、会員管理アプリという）を有する。
【００１４】
ここで、会員管理アプリは、複数の会員カード、ポイントカード、クーポンなどをまとめて管理できるアプリという。会員管理アプリでは、例えば、飲食店やレンタルビデオ店、コンビニなど、複数の会員カード、ポイントカード、クーポンの情報を集約して管理できる。ユーザは、従来型の会員カードを物理的に保有しなくとも、ユーザＡ端末１で、１つの会員管理アプリをインストールしておけばよい。ユーザは、店舗等でユーザＡ端末１をかざすなどするだけで、従来型の会員カードと同様（又はそれ以上）のサービスを受けることができる。
【００１５】
ユーザＢ端末２は、販促品（販促品のクーポン）の再配布対象・二次配布対象となるユーザＢの端末である。ユーザＢ端末２は、ユーザＡ端末１と同様に、ネットワークを介し、販促サーバ３、会員情報管理サーバ４と通信可能な端末である。また、ＰＣ、スマートフォン、携帯電話等の情報処理機器から構成される。また、予め会員管理アプリを有する。
【００１６】
販促サーバ３は、販促品の配布対象者を抽出し、配布対象として抽出された例えばユーザＡのユーザＡ端末１（会員管理アプリ）に対し、電子クーポン（以下単にクーポンという）を配布する。また、ユーザＢのユーザＢ端末２（会員管理アプリ）に対し、ユーザＡのユーザＡ端末１（会員管理アプリ）に対し配布したクーポンを再配布する。クーポンには、例えば、販促品情報や、実際の販促品を受け取るための配布場所（受取場所）の情報が記載されている。
【００１７】
会員情報管理サーバ４は、会員管理アプリの会員情報を管理するサーバである。例えば、飲食店やレンタルビデオ店、コンビニなど、複数の会員カード、ポイントカード、クーポンの情報を集約して管理する。
【００１８】
図２は、本発明の一実施形態にかかる会員管理アプリ画面の一例である。会員管理アプリ上、「Ｃａｒｄ  Ｃａｓｅ」には、複数の会員カードが収納されている。これは、例えば、従来型の会員カードを財布等に収納する様子を電子的にイメージしたものである。
【００１９】
このように、会員管理アプリでは、１つの会員管理アプリをインストールしておけば、複数の会員カードを電子的に保有することが可能である。なお、ユーザは、予め会員情報を入力すると共に、会員管理アプリ加盟の会員カードの内、所望の会員カードに入会する。
【００２０】
次に、再び図１を参照しながら、販促システムにおける販促品配布の概要について説明する。
【００２１】
（１）まず、会員情報管理サーバ４は、販促サーバ３に対し、ユーザＡ（ユーザＡ端末１）の会員情報等と共に、販促品マッチング検索要求を送信する。
【００２２】
（２）販促サーバ３は、販促品マッチング検索要求を受信すると、ユーザＡの会員情報と、販促品の配布対象者条件とに基づいて、ユーザＡにマッチする販促品が存在するか否かを検索する。
【００２３】
（３）販促サーバ３は、ユーザＡに対してマッチする販促品が存在する場合、その販促品のクーポンを、ユーザＡ端末１に対し送信する。
【００２４】
（４）ユーザＡ端末１は、クーポンを受信すると、会員管理アプリ内にクーポンを表示する。クーポンには、販促品の情報や配布場所（受取場所）の情報が記載されているので、ユーザＡは、販促品の配布場所（例えば、受取店舗）に来店し、所定端末にユーザＡ端末１をかざすことで、販促品を受け取ることができる。
【００２５】
（５）ここで、ユーザＡ端末１は、クーポンを受信すると、受信したクーポンをユーザＡの知人等にプレゼント（以下、再配布、二次配布ともいう）することができる。この場合、ユーザＡ端末１は、例えば、知人等の再配布先を選択し、会員管理アプリで受信したクーポンを配布する操作を行う。
【００２６】
また、再配布先選択の際、ユーザＡは、複数の再配布先を選択し、複数の再配布先に対し、クーポンを配布することができる。また、本実施形態においては、広く販促品を配布するという観点から、より多くの再配布先が選択されることが望ましい。よって、例えば、ユーザＡが多くの再配布先を選択するほど、ユーザＡに対し多くのポイントを付与するなど、何らかのインセンティブを付与する仕組みを適用するとよい。
【００２７】
また、ユーザＡの行う操作に関しては、会員管理アプリ内で知人を選択の上、再配布の操作を行ってもよいし、メールやＳＮＳ（Social Networking Service）と連携し、知人を選択の上、再配布の操作を行ってもよい。また、クーポンと共に、任意のメッセージを付してもよい。
【００２８】
（６）ユーザＡ端末１の操作により、ユーザＡ端末１は、販促サーバ３に対し、クーポンの再配布要求を送信する。
【００２９】
（７）販促サーバ３は、再配布要求を受信すると、ユーザＡ端末１に対して配布済みのクーポンを、ユーザＡ端末１により選択されたユーザＢ端末２（例えば、ユーザＢ端末２ａ、ユーザＢ端末２ｂ、ユーザＢ端末２ｃ等）に対し、送信する。
【００３０】
（８）ユーザＢ端末２は、クーポンを受信すると、会員管理アプリ内にクーポンを表示する。なお、後述するように、受信時点のクーポンは、無効化されており、後述する有効化（アクティベート化）された以降、利用することができるようになる。
【００３１】
（９）その後、ユーザＢは、店舗５に来店し、店舗５の所定端末にユーザＢ端末２をかざすことで、会員管理アプリ内の会員カードの、例えば、購買履歴の更新、購入ポイントや来店ポイントの追加など、何らかの会員情報の更新を行う。ユーザＢの来店行動は、クーポンの有効化を目的とするものであってもよいが、ユーザＢの日常購買活動の一環としての来店行動であってよい。なお、店舗５は、会員管理アプリでユーザが会員として入会済みの会員カードを保有する店舗である。
【００３２】
（１０）ユーザＢ端末２は、会員管理アプリ内の会員カードの、会員情報が更新されると、会員情報管理サーバ４に対し、ユーザＢの会員情報の更新情報を送信する。また、ユーザＢ端末２は、無効化状態のクーポンを有する場合、無効化状態のクーポンの情報も送信する。
【００３３】
なお、更新情報は、会員管理アプリ内のから、ネットワークを介し、会員情報管理サーバ４に送信される。また、更新情報は、店舗４のＰＯＳシステムから、ネットワーク（例えば、固定インターネット回線等）を介し、会員情報管理サーバ４に送信されてもよい。
【００３４】
（１１）会員情報管理サーバ４は、ユーザＢ端末２から更新情報を受信すると、ユーザＢの更新情報を会員情報ＤＢに反映させる。
【００３５】
（１２）次に、会員情報管理サーバ４は、無効化状態のクーポンの情報を受信している場合、更新情報の受信のタイミングを契機とし、販促サーバ３に対し、ユーザＡの会員情報とユーザＢの会員情報等と共に、ユーザＢに対し再配布されているクーポンの有効化判定要求（アクティベート化判定要求）を送信する。
【００３６】
（１３）販促サーバ３は、有効化判定要求を受信すると、ユーザＡの会員情報とユーザＢの会員情報等に基づいて、ユーザＢに対し、再配布されているクーポンを有効化するか否かを判定する。なお、本実施形態において、販促サーバ３は、ユーザＢの会員情報が、配布対象者条件にマッチしたユーザＡの会員情報と同一（又は類似）の場合、有効化すると判定する。
【００３７】
ここで、そもそも、クーポンは、ユーザＡの会員情報と、販促品の配布対象者条件とに基づいて、ユーザＡにマッチする販促品が検索され、配布されたものである（上記（１）、（２）参照）。よって、複数人のユーザＢの内、配布対象者条件にマッチしたユーザＡの会員情報と同一（又は類似）の会員情報を有するユーザＢに対し、クーポンを有効化することで、ユーザＡと同様、販促品提供者の要望にマッチする配布対象者であるユーザＢに対して広く販促品を配布する。一方、ユーザＢ（複数）の内、配布対象者条件にマッチしたユーザＡの会員情報と同一（又は類似）の会員情報を有しないユーザＢに対して、クーポンを有効化しない（即ち、販促品を配布しない）。
【００３８】
（１４）販促サーバ３は、ユーザＢ端末２に対し、再配布されているクーポンを有効化する有効化命令を送信する。なお、図中、販促サーバ３は、ユーザＢ１のユーザＢ端末２ａには、有効化命令を送信し、ユーザＢ２のユーザＢ端末２ｂには、有効化命令を送信していない。ユーザＢ端末２ｂのユーザＢ２は、配布対象者条件にマッチしたユーザＡの会員情報と同一（又は類似）の会員情報を有するユーザＢではないと判定されたためである。
【００３９】
（ハードウェア構成）
図３は、本発明の一実施形態にかかる販促サーバ３及び会員情報管理サーバ４のハードウェア構成例を示す図である。
【００４０】
具体的に、これらハードウェア構成は、一般的なパソコンやワークステーションなどと同様の構成であり、図に示されるように、ＣＰＵ（Central Processing Unit）１１と、ＲＯＭ（Read Only Memory）１２と、ＲＡＭ（Random Access Memory）１３と、入力装置１４と、出力装置１５と、通信装置１６と、ＨＤＤ（Hard Disk Drive）１７とを有する。
【００４１】
ＣＰＵ１１は、各種プログラムの実行や演算処理を行う。ＲＯＭ１２は、起動時に必要なプログラムなどが記憶されている。ＲＡＭ１３は、ＣＰＵ１１での処理を一時的に記憶したり、データを記憶したりする。入力装置１４は、キーボードやマウスである。出力装置１５は、ディスプレイである。通信装置１６は、ネットワークを介し他装置との通信を行う。ＨＤＤ１７は、各種データ及びプログラムを格納する。
【００４２】
（ソフトウェア構成）
図４は、本発明の一実施形態にかかる販促サーバ３及び会員情報管理サーバ４のソフトウェア構成例を示す図である。
【００４３】
販促サーバ３は、機能部として、検索部３０１、配布部３０２、記憶部３０３、判定部３０４、有効化部３０５を有する。
【００４４】
検索部３０１は、会員情報管理サーバ４から、ユーザＡ（ユーザＡ端末１）の会員情報等と共に販促品マッチング検索要求を受信すると、販促品ＤＢ３０３ａを参照し、ユーザＡの会員情報と、販促品の配布対象者条件とを比較することにより、当該ユーザＡにマッチする販促品を検索する。
【００４５】
配布部３０２は、検索結果に応じて、ユーザＡにマッチする販促品の販促品情報を、ユーザＡ端末１に対し配布（送信）する。この場合、販促品情報は、ユーザＡ端末１の会員管理アプリ内に、例えば、クーポンという形で配布され表示される。なお、検索結果が「該当販促品なし」の場合、配布部３０２は、販促品情報をユーザＡ端末１に対し配布しない。但し、本実施形態では、ユーザＡにマッチする販促品が検索されるものとする。
【００４６】
また、配布部３０２は、クーポン配布済みのユーザＡ端末１から、クーポンの再配布要求を受信した場合、ユーザＡにより再配布先として指定された例えばユーザＢのユーザＢ端末２に対し、無効化した販促品情報（例えば、現時点で使用不可のクーポン）を配布する。
【００４７】
記憶部３０３は、販促品ＤＢ３０３ａなどを記憶する機能を有している。販促品ＤＢ３０３ａのデータ例については後述する。
【００４８】
判定部３０４は、会員情報管理サーバ４から、クーポンの有効化判定要求（ユーザＡの会員情報、ユーザＢの会員情報を含む）を受信すると、ユーザＢのユーザ会員情報が、配布対象者条件にマッチしたユーザＡのユーザ会員情報と同一又は類似するか否かを判定する。但し、判定の実行は、ユーザＢ端末２に対し、無効化した販促品情報（例えば、現時点で使用不可のクーポン）を配布している場合に限る。
【００４９】
有効化部３０５は、判定部３０４により、ユーザＢのユーザ会員情報が、配布対象者条件にマッチしたユーザＡのユーザ会員情報と同一又は類似すると判定された場合、ユーザＢのユーザＢ端末２に対し、配布済みの販促品情報（例えば、無効化状態の配布済みクーポン）の有効化命令を送信する。
【００５０】
次に、会員情報管理サーバ４は、機能部として、会員情報管理部４０１、ユーザ行動分析部４０２、記憶部４０３を有する。
【００５１】
会員情報管理部４０１は、会員情報ＤＢ４０３ａを用いて、ユーザ毎（会員毎）に、会員管理情報、購買履歴情報、行動履歴情報などを管理する。また、会員情報管理部４０１は、会員情報ＤＢ４０３ａの情報の内、ユーザの来店行動に基づいて、会員情報（会員管理情報、購買履歴情報）の更新があった場合、更新情報を受信し、これを会員情報ＤＢ４０３ａに反映し更新する。また、会員情報管理部４０１は、ユーザの会員情報の更新があった場合、会員情報の更新後、販促サーバ３に対し、クーポンの有効化判定要求（ユーザＢの会員情報を含む）を送信する。
【００５２】
なお、ユーザの来店行動に基づいて、会員情報が更新される場合とは、ユーザが来店したり、商品等を購買したりすることに伴って、来店ポイントや購入ポイントが更新されたり、購買履歴が記録された場合などがある（例えば、後述の図５参照）。
【００５３】
ユーザ行動分析部４０２は、会員情報ＤＢ４０３ａの会員管理情報、購買履歴情報を用いて、ユーザ毎にユーザ行動を分析し、ユーザ毎にユーザの行動履歴情報を生成する。生成した行動履歴情報は、会員情報の一つとして、ユーザ毎に、会員情報ＤＢ４０３ａに記憶しておく。行動履歴情報は、例えば、ユーザの過去の購買履歴をはじめとした会員情報の分析し、分析結果を、ユーザ行動に結び付けた情報ある。ユーザ行動履歴情報は、あくまで過去のユーザの行動履歴であるが、繰り返して、同一の行動履歴が見られる場合、将来（未来）においても同一の行動が予測される（ユーザが同一の行動を取り可能性がある）。
【００５４】
記憶部４０３は、会員情報ＤＢ４０３ａなどを記憶する機能を有している。会員情報ＤＢ４０３ａのデータ例については後述する。
【００５５】
なお、これらの機能部は、会員情報管理サーバ４及び販促サーバ３を構成するコンピュータのＣＰＵ、ＲＯＭ、ＲＡＭ等のハードウェア資源上で実行されるコンピュータプログラムによって実現されるものである。但し、これらの機能部は、「手段」、「モジュール」、「ユニット」、又は「回路」に読替えてもよい。
【００５６】
販促サーバ３及び会員情報管理サーバ４の各機能部は、単一のコンピュータ上に配置される必要はなく、必要に応じて分散される形態であってもよい。また、販促品ＤＢ３０３ａ、会員情報ＤＢ４０３ａは、必ずしも同一サーバ内に配置される必要はなく、他の記憶装置やＤＢ上に配置してもよい。
【００５７】
（会員情報ＤＢ４０３ａ）
図５は、本発明の一実施形態にかかる会員情報ＤＢ４０３ａのデータ構造の一例である。会員情報ＤＢ４０３ａは、（ａ）会員管理情報、（ｂ）購買履歴情報、（ｃ）行動履歴情報を格納する。
【００５８】
（ａ）会員管理情報は、例えば、「会員ＩＤ」、「氏名」、「住所」、「性別」、「年齢」、「現在位置」、「会員カード」、「来店ポイント」、「購入ポイント」を有する。
【００５９】
「会員ＩＤ」は、会員管理アプリを利用するユーザの会員ＩＤ（識別子）である。
【００６０】
「氏名」、「住所」、「性別」、「年齢」は、いわゆるユーザ属性情報である。例えば、職業、既婚未婚、子供の有無、趣味・嗜好など、これ以外のユーザ属性があってもよい。
【００６１】
「現在位置」は、ユーザ端末の現在位置する位置情報である。ユーザＡ端末１及びユーザＢ端末２は、ＧＰＳ等の機能を有し、その現在位置を取得できる場合、ユーザ端末の位置情報はここに格納され、また逐一更新される。
【００６２】
「会員カード」は、会員管理アプリ上でユーザが保有する会員カード種別である。上述したように、会員管理アプリは、ユーザが入会している複数の会員カードまとめて管理できる。ユーザが会員カードに加入するたびに更新される。
【００６３】
「来店ポイント」は、会員店舗に来店する毎に付与されるポイントである。ユーザが会員店舗を来店するたびに記録される。
【００６４】
「購入ポイント」は、会員店舗で購入する毎に付与されるポイントである。ユーザが会員店舗で商品等（商品やサービス）を購入するたびに記録される。
【００６５】
なお、本実施形態にかかる「来店ポイント」及び「購入ポイント」は、全店舗共通のポイントとしたが、各店舗毎に独立したポイントを設けてもよい。
【００６６】
（ｂ）購買履歴情報は、例えば、「会員ＩＤ」、「年月日」、「時刻」、「会員カード」、「店舗」、「商品」、「価格」を有する。ユーザが会員店舗で商品等（商品やサービス）を購入するたびに記録される。
【００６７】
「会員ＩＤ」は、会員管理アプリを利用するユーザの会員ＩＤである。
【００６８】
「年月日」、「時刻」は、商品等を購入した日付、時刻である。
【００６９】
「会員カード」は、商品購入時、使用されたカードの種類である。
【００７０】
「店舗」は、会員店舗の内、ユーザが商品を購入した店舗である。
【００７１】
「商品」、「価格」は、ユーザが購入した商品、及びその価格である。
【００７２】
（ｃ）行動履歴情報は、例えば、「会員ＩＤ」、「行動履歴」を有する。
【００７３】
「会員ＩＤ」は、会員管理アプリを利用するユーザの会員ＩＤである。
【００７４】
「行動履歴」は、ユーザの行動履歴情報である。例えば、ユーザの過去の購買履歴をはじめとした会員情報の分析結果を、ユーザ行動に結び付けた情報ある。ユーザ行動分析部２０３により、一定期間毎に、会員情報ＤＢ４０３ａに記憶されている会員管理情報、購買履歴情報を用いてユーザ毎に分析されており、ここに格納される。
【００７５】
なお、本実施形態にかかるユーザの行動履歴情報はあくまで一例である。ユーザ行動分析手法等に応じて、適切な行動履歴情報が保持されればよい。
【００７６】
（販促品ＤＢ３０３ａ）
図６は、本発明の一実施形態にかかる販促品ＤＢ３０３ａのデータ構造の一例である。販促品ＤＢ３０３ａは、（ａ）販促品情報、（ｂ）配布管理情報を格納する。
【００７７】
（ａ）販促品情報は、「販促品ＩＤ」、「販促品情報」、「配布対象者条件」、「配布場所」を有する。
【００７８】
「販促品ＩＤ」は、販促品のＩＤである。販促品提供者が販促品を提供するたびに１つづつ固有のＩＤが付与される。
【００７９】
「販促品情報」は、「販促品名」、「販促品詳細」、「広告主（＝販促品提供者）」を有する。これらは、販促品提供者によって提供される情報である。また、これら情報は、クーポンへの記載内容としても用いられる。また、「販促品情報」は、物のほか、無形のサービスであってもよい。
【００８０】
「配布対象者条件」は、販促品提供者が想定（要望）する販促品の配布対象者の条件である。「配布対象者条件」は、例えば、大きく、「ユーザ属性」（「地域」、「性別」、「年齢」）、及び「キーワード」を有する。販促品提供者は、販促品配布にあたり、配布したい配布対象者の条件をここで規定すると、「配布対象者条件」にマッチするユーザに対し、販促品が配布される。
【００８１】
「地域」、「性別」、「年齢」は、ユーザ帰属するユーザ属性情報である。図５の（ａ）会員管理情報に対応させる形で、ユーザ属性情報は、例えば、職業、既婚未婚、子供の有無、趣味・嗜好など、これ以外のユーザ属性があってもよい。
【００８２】
また、「キーワード」は、配布対象者の条件を、ユーザ行動に関するキーワードで規定することができる。これにより、より柔軟に販促品の配布対象者の条件設定を行えるようになっている。
【００８３】
「配布場所」は、販促品の配布場所（受取場所）である。販促品提供者は、販促品配布にあたり、配布したい場所を規定する。なお、本実施形態において、配布場所は、販促品を配布するための会員店舗とする。また、配布場所は、一店のみならず、複数の会員店舗でもよい。
【００８４】
（ｂ）配布管理情報は、「販促品ＩＤ」、「一次配布先」、「再配布先」を有する。
【００８５】
「販促品ＩＤ」は、配布クーポンの元となった販促品の販促品のＩＤである。
【００８６】
「一次配布先」は、配布クーポンの最初の配布先ユーザである。上述の例でいえば、ユーザＡである。
【００８７】
「再配布先」は、配布クーポンの再配布先ユーザである。上述の例でいえば、ユーザＢ（ユーザＢ１、ユーザＢ２、ユーザＢ３）である。
【００８８】
「一次配布先」、「再配布先」の配布先ユーザを特定する識別子として、「会員ＩＤ」を用いることができる（図５の（ａ）会員管理情報）。
【００８９】
＜動作＞
（販促品配布処理）
次に、本実施形態にかかる販促システムの処理動作について説明する。
【００９０】
図７は、本実施形態にかかる販促システムの販促品配布処理例を示すシーケンス図である。具体的には、ユーザＡ端末１、ユーザＢ端末２、販促サーバ３及び会員情報管理サーバ４の処理動作により構成される。以下、図面を参照しながら、詳しく説明する。
【００９１】
なお、前提として、上述したように、販促品ＤＢ３０３ａ、会員情報ＤＢ４０３ａの情報は整備されており、また、最新の情報状態に更新されているものとする。
【００９２】
Ｓ１：まず、会員情報管理サーバ４（会員情報管理部４０１）は、販促サーバ３に対し、ユーザＡ（ユーザＡ端末１）の会員情報等と共に、販促品マッチング検索要求を送信する。
【００９３】
Ｓ２：販促サーバ３（検索部３０１）は、会員情報管理サーバ４から、販促品マッチング検索要求を受信すると、販促品ＤＢ３０３ａを参照し、ユーザＡの会員情報と、販促品の配布対象者条件とに基づいて、ユーザＡにマッチする販促品が存在するか否かを検索する。なお、Ｓ２については再度後述する。
【００９４】
Ｓ３：販促サーバ３（配布部３０２）は、ユーザＡにマッチする販促品が存在する場合、その販促品の「販促品情報」、「配布場所」等の情報を使用してその販促品のクーポンを生成し、ユーザＡ端末１に対し送信する。
【００９５】
なお、販促サーバ３（配布部３０２）は、配布したクーポンの情報を、配布管理情報に記録しておく（図６の（ｂ））。具体的には、「販促品ＩＤ」、「一次配布先」を記録する。なお、この時点、「再配布先」は未記録である。
【００９６】
図８は、本発明の一実施形態にかかる会員管理アプリ画面の一例である。会員管理アプリ上、販促品のクーポンが配布され表示されている。例えば、販促品のクーポンは、「販促品名」「販促品詳細」、及び「配布場所」（受取場所）が示される。「広告主」もあってもよい（非図示）。ユーザは、「配布場所」に来店し、所定端末にユーザＡ端末１をかざしたり、販促品のクーポンを提示するなどにより、販促品を受け取ることができる。
【００９７】
Ｓ４：次に、ユーザＡ端末１は、例えば、知人等の再配布先を選択し、会員管理アプリで受信したクーポンを配布する操作を行う。
【００９８】
図９は、本発明の一実施形態にかかる会員管理アプリ画面の一例である。会員管理アプリ上、友達に販促品のクーポンをプレゼントできる旨が表示されている。
【００９９】
Ｓ５：ユーザＡ端末１は、販促サーバ３に対し、再配布先の情報と共に、クーポンの再配布要求を送信する。また、クーポンの識別子（例えば、販促品ＩＤ）を送信し、販促サーバ３側でユーザＡ端末１に送信済みのクーポンを特定できるようにする。
【０１００】
Ｓ６：販促サーバ３（配布部３０２）は、再配布要求を受信すると、配布管理情報（図６の（ｂ））を参照し、クーポンの識別子（例えば、販促品ＩＤ）を用いて、ユーザＡ端末１に送信済みのクーポンを特定の上、その配布済みのクーポンを、ユーザＡ端末１により選択されたユーザＢ端末２に対し送信する。
【０１０１】
なお、クーポンには、配布元のユーザ識別子（例えば、ユーザＡ又は会員ＩＤ０００１等）の情報を付しておく。また、販促サーバ３（配布部３０２）は、再配布先の情報を、配布管理情報に記録しておく（図６の（ｂ））。具体的には、「販促品ＩＤ」、「一次配布先」に対応付けて、ユーザＢの識別子を「再配布先」を記録する。
【０１０２】
図１０は、本発明の一実施形態にかかる会員管理アプリ画面の一例である。会員管理アプリ上、友達に配布された販促品のクーポンが表示されている。但し、現時点、クーポンは無効化状態にある。具体的には、販促品画像が「マスク図柄」で隠されていたり、受取用のバーコードを読み取れないよう、バーコードが無効化されていてもよい。
【０１０３】
Ｓ７：次いで、ユーザＢは、店舗５に来店し、店舗５の所定端末にユーザＢ端末２をかざすことで、会員管理アプリ内の会員カードの、例えば、購買履歴の更新、購入ポイントや来店ポイントの追加など、何らかの会員情報の更新を行ったものとする。このとき、ユーザＢ端末２は、会員管理アプリ内の会員カードの、会員情報が更新されると、会員情報管理サーバ４に対し、ユーザＢの会員情報の更新情報（例えば、購買履歴情報、購入ポイント又は来店ポイント等）を、例えば、３Ｇ、４Ｇ、ＷｉＦｉ等のネットワークを介し送信する。
【０１０４】
また、ユーザＢ端末２は、会員管理アプリ内に、無効化状態のクーポンを保有している場合には、無効化状態クーポンの情報として、クーポンの識別子（例えば、販促品ＩＤ）、配布元のユーザ識別子（例えば、ユーザＡ又は会員ＩＤ０００１等）を併せて送信する。
【０１０５】
なお、更新情報に購入店舗の情報が含まれない場合、ユーザＢ端末２の位置情報（ＧＰＳ等より取得）を送信し、購入店舗の情報に代える。また、更新情報は、店舗５のＰＯＳシステムから、ネットワーク（例えば、固定インターネット回線等）を介し、会員情報管理サーバ４に送信されてもよい。
【０１０６】
Ｓ８：会員情報管理サーバ４（会員情報管理部４０１）は、ユーザＢ端末２から、ユーザＢの更新情報を受信すると、ユーザＢの更新情報を会員情報ＤＢ４０３ａに反映させ更新する。
【０１０７】
Ｓ９：会員情報管理サーバ４（会員情報管理部４０１）は、無効化状態クーポンの情報を受信している場合、ユーザＢの更新情報の受信のタイミングを契機とし、販促サーバ３に対し、ユーザＡの会員情報とユーザＢの会員情報と共に、ユーザＢに対し再配布されているクーポンの有効化判定要求（アクティベート化判定要求）を送信する。
【０１０８】
なお、無効化状態クーポンの情報は、配布元のユーザ識別子（例えば、ユーザＡ又は会員ＩＤ０００１等）を含むので、会員情報ＤＢ４０３ａ（図５の（ａ））から、配布元のユーザ識別子をキーとして、同ユーザ（例えば、ユーザＡ）の会員情報を取得できる。
【０１０９】
また、無効化状態クーポンの情報は、クーポンの識別子（例えば、販促品ＩＤ）を含む。よって、販促サーバ３が有効化判定の対象となるクーポンを特定できるように、クーポンの識別子（例えば、販促品ＩＤ）を併せて販促サーバ３に対し送信する。
【０１１０】
また、無効化状態クーポンの情報を受信していない場合には、有効化判定要求を送信しない。そもそも、有効化対象のクーポンがそのユーザには配布されていないためである。
【０１１１】
Ｓ１０：販促サーバ３（判定部３０４）は、有効化判定要求を受信すると、ユーザＡの会員情報とユーザＢの会員情報等に基づいて、ユーザＢに対し、再配布されているクーポンを有効化するか否かを判定する。本実施形態において、上述したように、販促サーバ３は、ユーザＢの会員情報が、配布対象者条件にマッチしたユーザＡの会員情報と同一（又は類似）の場合、クーポンを有効化すると判定する。なお、Ｓ１０については再度後述する。
【０１１２】
Ｓ１１：販促サーバ３（配布部３０２）は、Ｓ１０で、再配布されているクーポンを有効化すると判定された場合のみ、ユーザＢ端末２に対し、再配布されているクーポンを有効化する有効化命令を送信する。
【０１１３】
Ｓ１２：ユーザＢ端末２には、クーポンの有効化命令を受信すると、会員管理アプリ内にクーポンを有効化状態で表示する。クーポンには、販促品の情報や配布場所（受取場所）の情報が記載されているので、ユーザＢは、販促品の配布場所（例えば、受取店舗）に来店し、所定端末にユーザＢ端末２をかざすことで、販促品を受け取ることができる。
【０１１４】
図１１は、本発明の一実施形態にかかる会員管理アプリ画面の一例である。会員管理アプリ上、友達に配布された販促品のクーポンが表示されている。また、現時点、クーポンは有効化状態にある（例えば、販促品画像が表示されている等）。
【０１１５】
（検索処理）
図１２は、本実施形態にかかる販促サーバ３の検索例を示すフローチャートである。以下、図面を参照しながら、上記Ｓ２について、詳しく説明する。
【０１１６】
なお、上述したように、販促サーバ３（検索部３０１）は、会員情報管理サーバ４から、販促品マッチング検索要求を受信した際、ユーザＡ端末１の「会員情報」を受信している。会員情報は、会員情報ＤＢ４０３ａの、会員管理情報、購買履歴情報、行動履歴情報を含む。
【０１１７】
Ｓ２１：販促サーバ３（検索部３０１）は、会員情報管理サーバ４から、販促品マッチング検索要求を受信すると、まず、ユーザＡ端末１の会員管理情報の内、ユーザ属性情報を用いて、販促品（販促品ＩＤ）を検索する。
【０１１８】
具体的に、検索要求と共に送信されてきたユーザＡ端末１の会員管理情報（その内、ユーザ属性に相当するもの）と、販促品ＤＢ３０３ａの「配布対象者条件」の「ユーザ属性」とを比較する。
【０１１９】
例えば、図５（ａ）を参照し、ユーザＡ端末１が会員ＩＤ０００１の場合、ユーザ属性情報である「住所」東京都品川区・・、「性別」女、「年齢」２５と、図６の「配布対象者条件」の内、「ユーザ属性」である「地域」、「性別」、「年齢」とを比較し、全ユーザ属性が一致する販促品（販促品ＩＤ）をまず抽出する。例えば、図６の場合、販促品ＩＤａ００１、ａ００３、ａ００４の販促品が該当し抽出される。
【０１２０】
Ｓ２２：次に、販促サーバ３（検索部３０１）は、ユーザＡ端末１のユーザの行動履歴情報と、販促品ＤＢ３０３ａの「配布対象者条件」の「キーワード」とを用いて、Ｓ２１で抽出された販促品を絞る。
【０１２１】
例えば、図５（ｃ）の会員ＩＤ０００１の行動履歴情報と、Ｓ２１で抽出された販促品ＩＤａ００１、ａ００３、ａ００４の「配布対象者条件」の内、「キーワード」とに基づいて、会員ＩＤ０００１のユーザの行動が、「キーワード」に規定される行動を有している販促品（販促品ＩＤ）を抽出する。いいかえれば、会員ＩＤ０００１のユーザの行動が、「キーワード」に規定される行動にマッチする販促品を抽出する。
【０１２２】
具体的に、図５（ｃ）を参照し、会員ＩＤ０００１の行動履歴情報の内、「平日の夕刻」、「アルコール飲料を購入」という行動から、「キーワード」：仕事帰り、お酒好きとマッチする販促品ＩＤａ００１（「キーワード」：仕事帰り、お酒好き）を抽出しうる。また、会員ＩＤ０００１の行動履歴情報の内、「スポーツクラブ」、「運動」、「スポーツ飲料を購入」という行動から、販促品ＩＤａ００３（「キーワード」：健康）を抽出しうる。
【０１２３】
即ち、会員ＩＤ０００１のユーザ行動履歴からして、「キーワード」で特定されるユーザにマッチする販促品を配布すれば、ユーザが販促品を受け取る可能性は高くなる。ユーザ行動履歴情報は、あくまで過去のユーザの行動履歴であるが、繰り返して、同一の行動履歴が見られる場合、将来（未来）においても同一の行動が予測される（ユーザが同一の行動を取り可能性がある）。
【０１２４】
Ｓ２３：次に、販促サーバ３（検索部３０１）は、ユーザＡ端末１のユーザの行動履歴情報と、販促品ＤＢ３０３ａの「配布場所」とを用いて、Ｓ２２で抽出された販促品を絞る。
【０１２５】
例えば、図５の会員ＩＤ０００１の行動履歴情報と、Ｓ２１で抽出された販促品ＩＤａ００１、ａ００３の「配布場所」とに基づいて、会員ＩＤ０００１のユーザの行動が、「配布場所」での行動を有している販促品（販促品ＩＤ）を抽出する。いいかえれば、会員ＩＤ０００１のユーザの行動が、「配布場所」に規定される場所に行くと予想される販促品を抽出する。
【０１２６】
具体的に、図５（ｃ）を参照すると、会員ＩＤ０００１の行動履歴情報の内、「店舗ａ」、「購入後」、「その足」、「店舗ｂ」、「立ち寄り」という行動から、「配布場所」：店舗ｂ（Ｂ社○○コンビニ）とマッチする販促品ＩＤａ００１（「配布場所」：Ｂ社○○コンビニ）を抽出しうる。
【０１２７】
即ち、会員ＩＤ０００１のユーザ行動履歴からして、実際にユーザが立ち寄った店舗４の後に、「配布場所」である店舗ｂ（Ｂ社○○コンビニ）に立ち寄ることが予想され、そのようなユーザにマッチする販促品を配布すれば、ユーザが販促品を受け取る可能性は高くなる。
【０１２８】
Ｓ２４：次に、販促サーバ３（検索部３０１）は、Ｓ２３で抽出された販促品は１つであるか否かを判定する。１つの場合、Ｓ２５へ進む。１つでない場合、Ｓ２６へ進む。
【０１２９】
なお、Ｓ２４は、配布する販促品は１つであるとの想定の下の処理である。よって、複数の販促品を配布可能な場合、Ｓ２４は省略できる。この場合、Ｓ２３の後、Ｓ２５へ進めばよい。
【０１３０】
Ｓ２５：販促サーバ３（検索部３０１）は、検索結果を該当ありとし、該当の販促品ＩＤを配布部３０２に通知する。
【０１３１】
Ｓ２６：販促サーバ３（検索部３０１）は、Ｓ２３で抽出された販促品は１つでない場合、いずれか１の販促品を抽出する。抽出方法は、Ｓ２２、Ｓ２３の抽出過程で、マッチ度をスコアによって保持しておき、最上位スコアの販促品を１つ抽出することができる。なお、ランダム抽選を行って、いずれか１の販促品を抽出する方法もある。
【０１３２】
Ｓ２７：一方、Ｓ２１〜Ｓ２３のいずれかで、Ｎに進んだ場合には、販促サーバ３（検索部３０１）は、検索結果を該当なしとし、その旨を配布部３０２に通知する。
【０１３３】
なお、Ｓ２３で、ユーザの行動が、「配布場所」の場所と完全一致せずとも、一定の幅を持たせることもできる。例えば、ユーザの行動が、「配布場所」と完全一致する場所に行かないと予想される場合でも、「配布場所」の近隣（例えば、同一エリア、所定距離以内）に位置する他店舗に行く予想される場合には、「配布場所」に紐付けられた販促品を抽出してもよい。
【０１３４】
以上のように、本実施形態において、販促サーバ３は、ユーザ属性のみならず、実際のユーザの行動活動（行動履歴情報）に基づいて、ユーザにマッチする販促品を検索する。
このため、販促品提供者が要望する一次配布対象者に対して詳細に精度よく販促品を配布することができる。また、よりユーザに販促品を受け取ってもらえる可能性を高めるので、配布対象者の販促品配布に対する応答性向上を図ることができる。
【０１３５】
（有効化判定処理）
図１３は、本実施形態にかかる販促サーバ３の有効化判定例を示すフローチャートである。以下、図面を参照しながら、上記Ｓ１０について、詳しく説明する。
【０１３６】
なお、上述したように、販促サーバ３（判定部３０４）は、会員情報管理サーバ４から、有効化判定要求を受信した際、ユーザＡ端末１の「会員情報」とユーザＢ端末２の「会員情報」とを受信している。ユーザＡ端末１及びユーザＢ端末２の会員情報は、会員情報ＤＢ４０３ａの、会員管理情報、購買履歴情報、行動履歴情報を含む。
【０１３７】
Ｓ１０１：まず、販促サーバ３（判定部３０４）は、ユーザＡ端末１の会員管理情報と、ユーザＢ端末２の会員管理情報とを比較し、ユーザＢの会員管理情報内のユーザ属性が、ユーザＡの会員管理情報の内、上記Ｓ２１でユーザＡにマッチする販促品（販促品ＩＤ）が検索された際に用いられたユーザ属性と、同一又は類似するか否かを判定する。
【０１３８】
より具体的に、ユーザＢ端末２の会員管理情報（その内、ユーザ属性に相当するもの）と、ユーザＡの会員管理情報の内、上記Ｓ２１でユーザＡにマッチする販促品（販促品ＩＤ）が検索された際に用いられたユーザ属性とを比較する。ここで、上記Ｓ２１を参照すすると、ユーザＡにマッチする販促品（販促品ＩＤ）が検索された際に用いられたユーザ属性は、「住所」「性別」、「年齢」である。
【０１３９】
よって、例えば、図５（ａ）を参照し、ユーザＡ端末１が会員ＩＤ０００１の場合、「住所」東京都品川区・・、「性別」女、「年齢」２５と、ユーザＢ端末２が会員ＩＤ０００２の場合、ユーザ属性情報である「住所」東京都品川区・・、「性別」女、「年齢」２５とを比較する。
【０１４０】
「ユーザ属性」が、同一又は類似する場合、Ｓ１０２へ進む。同一又は類似しない場合、Ｓ１０４へ進む。なお、類似と判定する範囲は、予め所定の範囲を定めておく。例えば、「住所」であれば、同一県、又は同一市区町村、「年齢」であれば、プラスマイナス３歳などである。なお、「性別」は、類似範囲を定めるのは困難のため、同一か否かのみ判定すればよい。
【０１４１】
なお、ここで用いられるユーザ属性は、上記Ｓ２１でユーザＡにマッチする販促品（販促品ＩＤ）が検索された際に用いられたユーザ属性（例えば、「住所」「性別」、「年齢」）が対象である。
【０１４２】
理由としては、ユーザＢに対し、ユーザＡに配布済みのクーポンを有効化するかどうかを判定するという目的である為、ユーザＡにマッチする販促品（販促品ＩＤ）が検索された際に用いられないユーザ属性（例えば、既婚未婚や子供の有無等）を考慮すると、そもそも、ユーザＢに対し、ユーザＡに配布済みのクーポンを有効化しても、そのクーポンは、ユーザＢにマッチしないクーポンである可能性がある。より具体的に、例えば、女性向けビールのクーポンを配布するにあたり、「性別」というユーザ属性を有するユーザに、女性向けビールのクーポンはマッチするものの、例えば、「既婚未婚」や「子供の有無」というユーザ属性に、女性向けビールのクーポンはマッチするとはいえない。
【０１４３】
つまり、ユーザＡのみならず、ユーザＢに対してもマッチするクーポンとするには、ユーザＡにマッチする販促品（販促品ＩＤ）が検索された際に用いられた同一の検索キーで、同一又は類似するか否かを判定しないと意味をなさない。従って、同一又は類似の対象とする会員情報（例えば、ユーザ属性）は、上記Ｓ２１でユーザＡにマッチする販促品（販促品ＩＤ）が検索された際の、配布対象者条件にマッチしたユーザＡの会員情報（例えば、ユーザ属性）が対象である。
【０１４４】
Ｓ１０２：次に、販促サーバ３（判定部３０４）は、ユーザＡ端末１の行動履歴情報と、ユーザＢ端末２の行動履歴情報とを比較し、ユーザＢの行動履歴情報が、ユーザＡの行動履歴情報の内、上記Ｓ２２、Ｓ２３でユーザＡにマッチする販促品（販促品ＩＤ）が検索された際に用いられた行動履歴と、同一又は類似するか否かを判定する。  ここで、上記Ｓ２２で、ユーザＡにマッチする販促品（販促品ＩＤ）が検索された際に用いられた行動履歴は、「平日の夕刻」、「アルコール飲料を購入」という行動である。また、上記Ｓ２３で、ユーザＡにマッチする販促品（販促品ＩＤ）が検索された際に用いられた行動履歴は、「店舗ａ」、「購入後」、「その足」、「店舗ｂ」、「立ち寄り」という行動である。
【０１４５】
よって、例えば、図５（ｃ）を参照し、ユーザＢ端末２の行動履歴情報が、「平日の夕刻」、「アルコール飲料を購入」、及び、「店舗ａ」、「購入後」、「その足」、「店舗ｂ」、「立ち寄り」などの行動を有するか否かを判定する。要するに、ユーザＢがユーザＡと同一又は類似の行動が予測されるか否かを判定する。同一又は類似の場合、ユーザＢがユーザＡとが同一の行動を取る可能性があるといえる。
【０１４６】
なお、同一又は類似の対象とする会員情報（例えば、行動履歴）は、上記Ｓ２２、Ｓ２３で、ユーザＡにマッチする販促品（販促品ＩＤ）が検索された際の、配布対象者条件にマッチしたユーザＡの会員情報（例えば、行動履歴）が対象である。
【０１４７】
「行動履歴」が、同一又は類似する場合、Ｓ１０３へ進む。同一又は類似しない場合、Ｓ１０４へ進む。
【０１４８】
Ｓ１０３：販促サーバ３（判定部３０４）は、検索結果を有効化するとし、有効化部３０５に通知する。この場合、有効化部３０５は、ユーザＢのユーザＢ端末２に対し、配布済みの販促品情報（例えば、無効化状態の配布済みクーポン）の有効化命令を送信する。
【０１４９】
Ｓ２７：一方、Ｓ１０１又はＳ１０２のいずれかで、Ｎに進んだ場合には、販販促サーバ３（判定部３０４）は、検索結果を有効化しないとする。なお、この場合、有効化部３０５は、有効化命令を送信しない。
【０１５０】
以上のように、本実施形態において、販促サーバ３（判定部３０４）は、有効化判定要求を受信すると、ユーザＡの会員情報とユーザＢの会員情報等に基づいて、ユーザＢに対し、再配布されているクーポンを有効化するか否かを判定する。つまり、販促サーバ３は、ユーザＢの会員情報が、配布対象者条件にマッチしたユーザＡの会員情報と同一（又は類似）の場合、クーポンを有効化すると判定する。
【０１５１】
ここで、そもそも、クーポンは、ユーザＡの会員情報と、販促品の配布対象者条件とに基づいて、ユーザＡにマッチする販促品が検索され、配布されたものである。よって、複数人のユーザＢの内、配布対象者条件にマッチしたユーザＡの会員情報と同一（又は類似）の会員情報を有するユーザＢに対し、クーポンを有効化することで、ユーザＡと同様、販促品提供者の要望にマッチする配布対象者であるユーザＢに対して広く販促品を配布できる。
【０１５２】
（補足）
なお、図１３の有効化判定処理において、次のような条件を満たすユーザＢにのみ、有効化命令を送信するようにしてもよい。
【０１５３】
ユーザＢが、ユーザＡと近隣位置にいる場合。ユーザＡ及びユーザＢの現在の「位置情報」に基づいて判定される（図５の（ａ））。この場合、ユーザＡと同一又は類似する商業施設等にいる可能性があるためである。
【０１５４】
ユーザＢが、ユーザＡと一定以上の親密度を有する場合。ユーザＢが、ユーザＡと一定以上の親密度を有する場合、ユーザＢは、ユーザＡとユーザ属性や行動パターンが類似している可能性が高いためである。なお、親密度は、ＳＮＳサービス上でのやり取りの頻度、時間などに基づいて算出されうる。
【０１５５】
また、上述の実施形態では、再配布対象者（二次配布対象者）から、再々配布対象者（三次配布対象者）又はそれ以上に対し、クーポンを配布することもできる。この場合、図６（ｂ）の配布管理情報において、「再々配布対象者」の欄を設けて管理可能である。再々配布対象者のクーポンも配布時点では無効されており、上述説明した再配布対象者と同様に、一次配布対象者の会員情報に基づいて、クーポンの有効化判定が実施される。
【０１５６】
＜総括＞
以上、本実施形態において、販促サーバ３は、一次配布者の会員情報に基づいて検索された販促品のクーポンを、複数の二次配布者に対し、販促品のクーポン（無効化状態）を配布する。複数の二次配布者に対し配布されたクーポンは無効化されており、複数の二次配布者の内、一次配布者の会員情報に基づいて、例えば、同一又は類似のユーザ属性やユーザ行動を有する二次配布者に対してのみ、配布されたクーポンを有効化する。
【０１５７】
これにより、販促品提供者の要望にマッチする一次配布者及び複数の二次配布者に対し広く販促品を配布できる。
【０１５８】
また、一次配布者は、知人等に販促品をプレゼントすることができる。また、二次配布者は、無効化されていたクーポンが、ある店舗への来店行動のタイミングで有効化される場合がある。このため、一次配布者及び二次配布者は、楽しみながら自分にマッチしたクーポンが手に入れることができる。
【０１５９】
即ち、本実施形態によれば、販促品提供者の要望にマッチする配布対象者に対して広く販促品を配布することができる。
【０１６０】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【０１６１】
１        ユーザ端末Ａ
２        ユーザ端末Ｂ
３        販促サーバ
４        会員情報管理サーバ
１１        ＣＰＵ
１２        ＲＯＭ
１３        ＲＡＭ
１４        入力装置
１５        出力装置
１６        通信装置
１７        ＨＤＤ
３０１    検索部
３０２    配布部
３０３    記憶部
３０４    判定部
３０５    有効化部
４０１    会員情報管理部
４０２    ユーザ行動分析部
４０３    記憶部
【図１】
2014186539.tif 000003
【図２】
2014186539.tif 000004
【図３】
2014186539.tif 000005
【図４】
2014186539.tif 000006
【図５】
2014186539.tif 000007
【図６】
2014186539.tif 000008
【図７】
2014186539.tif 000009
【図８】
2014186539.tif 000010
【図９】
2014186539.tif 000011
【図１０】
2014186539.tif 000012
【図１１】
2014186539.tif 000013
【図１２】
2014186539.tif 000014
【図１３】
2014186539.tif 000015